(57)【要約】【課題】金属帯の両端部をそれぞれ上下一対の回転丸刃により所定の幅寸法に仕上げると共に、切屑したトリム屑を回転丸刃の送出側下方に設けたシュートを介して送り出して処理するサイドトリマー装置において、切屑したトリム屑をシュートに適切に導くことができるとともに、トリム屑の詰まりの発生を防止することができ、安定したトリミング作業を可能とするサイドトリマー装置を提供する。【解決手段】シュート２の上部には、切屑したトリム屑１１ａを押え込んでシュート２に導くためのシュート上蓋３が設けられているとともに、シュート上蓋３の先端には、トリム屑１１ａの詰まりの発生を防止するためのガイドロール４が取り付けられている。【選択図】図１
2006035392.tif 000002
【特許請求の範囲】
【請求項１】
金属帯の両端部をそれぞれ上下一対の回転丸刃により所定の幅寸法に仕上げると共に、切屑したトリム屑を回転丸刃の送出側下方に設けたシュートを介して送り出して処理するサイドトリマー装置において、切屑したトリム屑を押え込むためのシュート上蓋をシュートの上部に設けるとともに、該シュート上蓋の先端にガイドロールを取り付けたことを特徴とするサイドトリマー装置。
【請求項２】
前記ガイドロールの下端は、シュート上蓋の下面の延長線上から所定量だけ下方に突出していることを特徴とする請求項１に記載のサイドトリマー装置。
【発明の詳細な説明】
【技術分野】
【０００１】
本発明は、金属帯用のサイドトリマー装置に関するものである。
【背景技術】
【０００２】
サイドトリマー装置は、金属帯の両端部を、それぞれ上下一対の回転丸刃により所定の幅寸法に仕上げるとともに、切屑したトリム屑を前記回転丸刃の送出側下方に設けたシュートを介して送り出し、チョッパー装置にて剪断又は巻取装置に案内し巻取るようになっている。
【０００３】
一般に、金属帯の高速走行中あるいはトリミング開始直後は、トリム屑がシュートに進入せず、金属帯送出側に逸脱し、金属帯製品の品質を悪化させるばかりでなく、後方のテーブルロール等に巻付く等により生産性低下を招く。
【０００４】
そこで、上記のような品質悪化、生産性低下を防止するため種々の改良が行われてきた。  その一つとして、シュートの上部にシュート上蓋あるいはガイドを配設し、これによって切屑したトリム屑を下方に押え込んで、シュートに適切に導くようにするという技術が提案されている（例えば、特許文献１又は特許文献２参照。）。
【特許文献１】特開昭６０−１２７９１５号公報
【特許文献２】特開平０９−１６８９１６号公報
【発明の開示】
【発明が解決しようとする課題】
【０００５】
上記特許文献１又は特許文献２に示された技術を用いることによって、切屑したトリム屑がシュート上蓋あるいはガイドによって押え込まれてシュートに適切に導かれるようになったが、新たに下記のように問題が発生するようになった。
【０００６】
すなわち、シュート上蓋等に押え込まれて、トリム屑がシュート上蓋等の下面に接触しながらシュートに進入していくため、その接触によってシュート上蓋等の下面が摩耗し、その摩耗が進行すると、摩耗した個所にトリム屑が引っ掛かってトリム屑の流れが悪くなり、トリム屑が詰まってしまうという問題である。
【０００７】
本発明は、上記の問題を解決するためになされたものであり、金属帯の両端部をそれぞれ上下一対の回転丸刃により所定の幅寸法に仕上げるとともに、切屑したトリム屑を回転丸刃の送出側下方に設けたシュートを介して送り出して処理するサイドトリマー装置において、切屑したトリム屑をシュートに適切に導くことができるとともに、トリム屑の詰まりの発生を防止することができ、安定したトリミング作業を可能とするサイドトリマー装置を提供することを目的とするものである。
【課題を解決するための手段】
【０００８】
本発明者等は鋭意検討した結果、トリム屑の詰まりの発生原因となる、トリム屑との接触によって発生するシュート上蓋の下面の摩耗は、シュート上蓋の先端部において最も著しいことを知見した。これは、トリム屑の幅が広く、厚みが薄い場合に、回転丸刃で切断された後のトリム屑が９０°捩れた状態になってシュート上蓋に押え込まれながらシュート内を通過していくので、特に、シュート上蓋の先端部では、トリム屑の鋭いエッジ部と局所的に接触するようになり、それによって著しく摩耗するためである。その結果、その摩耗した個所を起点にしたトリム屑の詰まりを誘発することになるのである。したがって、シュート上蓋の先端部におけるトリム屑との局所的な接触状態を変更して摩耗分散を図るようにすれば、シュート上蓋の先端部の摩耗が低減し、トリム屑の詰まりの発生が防止できるとのとの考えに至った。
【０００９】
本発明は、上記の観点に基づいてなされたものであり、以下のような特徴を有する。
【００１０】
［１］金属帯の両端部をそれぞれ上下一対の回転丸刃により所定の幅寸法に仕上げるとともに、切屑したトリム屑を回転丸刃の送出側下方に設けたシュートを介して送り出して処理するサイドトリマー装置において、切屑したトリム屑を押え込むためのシュート上蓋をシュートの上部に設けるとともに、該シュート上蓋の先端にガイドロールを取り付けたことを特徴とするサイドトリマー装置。
【００１１】
［２］前記ガイドロールの下端は、シュート上蓋の下面の延長線上から所定量だけ下方に突出していることを特徴とする前記［１］に記載のサイドトリマー装置。
【発明の効果】
【００１２】
本発明においては、シュートの上部にシュート上蓋を設けて、切屑したトリム屑を押え込むようにしているので、切屑したトリム屑をシュートに適切に導くことができるとともに、そのシュート上蓋の先端にガイドロールを取り付けているので、トリム屑と接触したガイドロールの回転によって、シュート上蓋の先端部下面の摩耗が低減され、それによって、トリム屑の詰まりの発生が防止されて、安定したトリミング作業が可能となる。
【発明を実施するための最良の形態】
【００１３】
本発明の一実施形態を図面に基づいて説明する。図１は、本発明の一実施形態に係るサイドトリマー装置の全体構成図であり、図２は、図１におけるＡ−Ａ断面図である。
【００１４】
この実施形態に係るサイドトリマー装置は、図１に示すように、上刃１ａと下刃１ｂとを有する回転丸刃１と、回転丸刃１の送出側下方に設けられたシュート２と、シュート２の延長線上に設けられたチョッパーシュート５と、チョッパーシュート５の送出側に設置されたチョッパー６とを備えている。そして、シュート２の上部にはシュート上蓋３が設けられているとともに、シュート上蓋３の先端（シュート２の出口側）には、非駆動のガイドロール４が取り付けられている。
【００１５】
上記のように構成されたサイドトリマー装置においては、金属帯１１の走行に伴って回転丸刃１が回転し、金属帯１１の両端部を切屑して所定の幅寸法に仕上げる。そして、回転丸刃１によって切屑されたトリム屑１１ａは、シュート２の上部に設けられたシュート上蓋３によって押え込まれて、回転丸刃１の送出側下方に設けられたシュート２に適切に導かれる。
【００１６】
シュート２に導かれたトリム屑１１ａは、シュート上蓋３の下面に接触しながらシュート２内を通過した後、引き続きチョッパーシュート５に導かれる。その際、シュート上蓋３の先端にガイドロール４が取り付けられているので、図２に示すように、９０°捩れた状態のトリム屑１１ａの鋭いエッジ部がシュート上蓋３の先端部に接触しても、ガイドロール４の回転によって摩耗分散が図られ、シュート上蓋３の先端部下面の摩耗が低減し、トリム屑１１ａの詰まりの発生が防止される。
【００１７】
ちなみに、図３は、ガイドロールが設けられていない従来のシュート上蓋の場合を示すものであり、９０°捩れた状態のトリム屑１１ａの鋭いエッジ部との局所的な接触によってシュート上蓋３の先端部が激しく摩耗していく。
【００１８】
チョッパーシュート５に導かれたトリム屑１１ａは、チョッパーシュート５を通過した後、チョッパー６によって細断される。
【００１９】
このようにして、この実施形態においては、シュート２の上部に設けたシュート上蓋３によって、切屑したトリム屑１１ａをシュート２に適切に導くことができるとともに、シュート上蓋３の先端に取り付けたガイドロール４によって、トリム屑１１ａの詰まりの発生を防止することができ、安定したトリミング作業が可能となる。
【００２０】
なお、シュート上蓋３の先端に取り付けたガイドロール４の下端は、シュート上蓋３の下面の延長線上から所定量（例えば、０．８ｍｍ）下方に突出していることが好ましい。それによって、トリム屑１１ａとシュート上蓋３の先端部下面との接触が緩和され、シュート上蓋３の先端部下面の摩耗低減効果が一層増加するからである。
【００２１】
また、ガイドロール４の材質は、ＳＳ、ＳＵＳ、Ｓ４５Ｃ等の焼入れ鋼のいずれでも使用可能であるが、特にＳ４５Ｃ焼入れ鋼を使用した場合に最も良好な耐久性が得られ、他の材質の場合に比べて寿命が３倍以上になる。
【図面の簡単な説明】
【００２２】
【図１】本発明の一実施形態の全体構成図である。
【図２】図１のＡ−Ａ断面図である。
【図３】従来技術の説明図である。
【符号の説明】
【００２３】
１  回転丸刃
１ａ  回転丸刃の上刃
１ｂ  回転丸刃の下刃
２  シュート
３  シュート上蓋
４  ガイドロール
５  チョッパーシュート
６  チョッパー
１１  金属帯
１１ａ  トリム屑
【図１】
2006035392.tif 000003
【図２】
2006035392.tif 000004
【図３】
2006035392.tif 000005